(57)【要約】      （修正有）【課題】現金書留で代金を送付するような作業の必要がなく、簡易な方法で代金を送金できる送金システムを提供する。【解決手段】送金システムは、ウェブサイトに含まれる、送金者と送金金額とを含む送金情報の入力フォーマットを有するウェブページを提供するウェブサーバ２０と、情報媒体５０に載せられた、ウェブページを含むウェブサイトにアクセスするための識別子を読み取り、ウェブサイトにアクセスしてウェブページを閲覧し、入力フォーマットに入力された送金情報をウェブサーバに送信する送金元端末１０と、ウェブサーバから送金情報を取得する送金先端末３０と、を備える。【選択図】図１
0003228317.tif 000002
【実用新案登録請求の範囲】
【請求項１】
ウェブサイトに含まれる、送金者と送金金額とを含む送金情報の入力フォーマットを有するウェブページを提供するウェブサーバと、
情報媒体に載せられた、前記ウェブページを含むウェブサイトにアクセスするための識別子を読み取り、前記ウェブサイトにアクセスして前記ウェブページを閲覧し、前記入力フォーマットに入力された送金情報を前記ウェブサーバに送信する送金元端末と、
前記ウェブサーバから前記送金情報を取得する送金先端末と、
を備えた、送金システム。
【請求項２】
前記送金元端末から送金先と送金者と送金金額とを含む送金依頼を受信し、送金先の口座の振り込みが行われたときに、前記送金依頼に含まれる前記送金者と前記送金金額を前記送金先端末に送信する金融管理サーバを備え、
前記送金先端末は、前記金融管理サーバから送信された前記送金者と前記送金金額と、前記ウェブサーバから取得した送金情報に含まれる前記送金者と前記送金金額とを照合する、請求項１に記載の送金システム。
【請求項３】
前記識別子は、二次元バーコードである、請求項１又は２に記載の送金システム。
【請求項４】
前記情報媒体は、新聞、新聞に折り込まれる折り込み広告、雑誌、又は案内書である、請求項１から３のいずれか１項に記載の送金システム。
【請求項５】
前記送金情報は、葬儀における香典を含む代金の送金に関する情報であり、前記情報媒体は新聞であり、前記識別子は該新聞に掲載された葬儀の案内に含まれる、請求項１から３のいずれか１項に記載の送金システム。
【考案の詳細な説明】
【技術分野】
【０００１】
本考案は、送金システムに関し、特に、葬儀における香典又は香典と生花等の代金（香典を含む代金）を送金する送金システムに関する。
【背景技術】
【０００２】
冠婚葬祭などのイベントにおける受付手続にかかる負担を軽減する支払支援装置が特許文献１に記載されている。
具体的には、支払支援システムにおいて、招待者端末が、受取人が開催するイベントに支払人が参加するか否かの出欠の予定と、イベントにおいて支払人が与信取引によって受取人に支払う祝儀の金額と、を受け付け、式場サーバの受信部が、招待者端末が受け付けた受付結果を受信する。第１通知部が、受信部によって受信された受付結果のうち出欠の予定を主催者端末に通知し、実行部が、支払人からの与信取引の実行開始の要求に応じて、与信取引を実行する。第２通知部が、実行部によって実行された与信取引にかかる金額を主催者端末に通知する。
【先行技術文献】
【特許文献】
【０００３】
【特許文献１】特開２０１８−２０５８４４号公報
【考案の概要】
【考案が解決しようとする課題】
【０００４】
地震又は台風等による自然災害の発生、ウイルスの流行、遠隔地である等により、冠婚葬祭、例えば、通夜、告別式又は披露宴に参列することが難しい場合がある。
かかる場合に、香典又は祝儀を送るときには、香典袋又は祝儀袋、現金書留の封筒を用意し、郵便局に行き、書留の申し込み作業を行う必要がある。
地域によっては、通夜、告別式の案内を、新聞に黒枠広告で告知し、黒枠広告の横に葬儀社の広告も併設して載せることが一般的な場合がある。
【０００５】
本考案はこのような状況に鑑みてなされたものであり、現金書留で代金を送付するような作業の必要がなく、簡易な方法で代金を送金できる送金システムを提供することを目的とする。
【課題を解決するための手段】
【０００６】
（１）  本考案の一態様は、
ウェブサイトに含まれる、送金者と送金金額とを含む送金情報の入力フォーマットを有するウェブページを提供するウェブサーバと、
情報媒体に載せられた、前記ウェブページを含むウェブサイトにアクセスするための識別子を読み取り、前記ウェブサイトにアクセスして前記ウェブページを閲覧し、前記入力フォーマットに入力された送金情報を前記ウェブサーバに送信する送金元端末と、
前記ウェブサーバから前記送金情報を取得する送金先端末と、
を備えた、送金システムである。
【０００７】
（２）  上記（１）の送金システムにおいて、
前記送金元端末から送金先と送金者と送金金額とを含む送金依頼を受信し、送金先の口座の振り込みが行われたときに、前記送金依頼に含まれる前記送金者と前記送金金額を前記送金先端末に送信する金融管理サーバを備え、
前記送金先端末は、前記金融管理サーバから送信された前記送金者と前記送金金額と、前記ウェブサーバから取得した送金情報に含まれる前記送金者と前記送金金額とを照合するようにしてもよい。
【０００８】
（３）  上記（１）又は（２）の送金システムにおいて、
前記識別子は、二次元バーコードであってもよい。
【０００９】
（４）上記（１）から（３）のいずれかの送金システムにおいて、
前記情報媒体は、新聞、新聞に折り込まれる折り込み広告、雑誌、又は案内書であってもよい。
【００１０】
（５）上記（１）から（３）のいずれかの送金システムにおいて、
前記送金情報は、葬儀における香典を含む代金の送金に関する情報であり、前記情報媒体は新聞であり、前記識別子は該新聞に掲載された葬儀の案内に含まれてもよい。
【考案の効果】
【００１１】
本考案によれば、現金書留で代金を送付するような作業の必要がなく、簡易な方法で代金を送金できる。
【図面の簡単な説明】
【００１２】
【図１】本考案の一実施形態に係る送金システムを示す斜視図である。
【図２】ユーザ端末のカメラを用いて二次元バーコードを読み取る動作を示す図である。
【図３】ユーザ端末における、ウェブページの選択の操作を示す図である。
【図４】報告メールの一例を示す図である。
【図５】送金システムの動作を示す流れ図である。
【考案を実施するための形態】
【００１３】
以下、本考案の実施形態について図面を用いて詳細に説明する。
以下に説明する実施形態では、一例として、送金システムの通夜、告別式の案内を、新聞に黒枠広告で告知し、黒枠広告の横に葬儀社のウェブサイトの識別子となる二次元バーコードを含む広告を併設して載せ、二次元バーコードを用いて、葬儀における香典又は香典と生花等の代金（香典を含む代金）を送金する送金システムを取り上げて説明する。二次元バーコードとしては、例えばＱＲコード（登録商標）が挙げられる。
【００１４】
図１は、本考案の一実施形態に係る送金システムを示す斜視図であり、図２は、ユーザ端末のカメラを用いて。二次元バーコードを読み取る動作を示す図である。図３は、ユーザ端末における、ウェブページの選択の操作を示す図である。
本実施形態の送金システムは、図１に示すように、ユーザの通信端末（以下、ユーザ端末という）１０、ウェブサーバ２０、葬儀社の通信端末（以下、葬儀社端末という）３０及び金融管理サーバ４０を備えている。ユーザ端末１０は送金元端末、葬儀社端末３０は送金先端末となる。
【００１５】
ユーザ端末１０は、例えば、カメラを備えた、スマートフォン、タブレット型パーソナルコンピュータ、ノート型パーソナルコンピュータ、又は据え置き型パーソナルコンピュータである。
ユーザは、図２に示すように、ユーザ端末１０が有する二次元バーコード読み取りアプリケーションを用いて、カメラで、情報媒体５０となる新聞の案内掲載欄５０Ａに掲載された、葬儀社のウェブサイトの識別子となる。二次元バーコード１００を読み取る。情報媒体５０となる新聞の案内掲載欄５０Ａには、通夜、告別式の案内（葬儀の案内となる）が黒枠広告で掲載されており、黒枠広告の横に葬儀社のウェブサイトの識別子となる。二次元バーコード１００を含む広告が併設して掲載されている。
ユーザ端末１０の表示画面１０Ａに二次元バーコード１００が読み取られ、ユーザが表示画面１０Ａ上の二次元バーコード１００をタッピングすると、ユーザ端末１０は、二次元バーコード１００で特定された、ウェブサーバ２０の葬儀社のウェブサイトにインターネット等の通信回線を介してアクセスする。
【００１６】
ウェブサーバ２０は、例えば、葬儀社が管理する、ユーザ端末１０及び葬儀社端末３０と接続されるコンピュータである。
ウェブサーバ２０は、葬儀社のウェブサイトを保存しており、ユーザがウェブサイトから選択したウェブページのウェブページ情報をユーザ端末１０に送信する。ユーザは、ユーザ端末１０の表示画面に表示された、ウェブページの香典又は香典と生花等の代金を支払うための入力フォーマットの表に必要事項を入力して、ウェブサーバ２０に送信する。ウェブサーバ２０は、入力フォーマットの表の必要事項の情報（送金情報）を葬儀社端末３０に送信する。
【００１７】
ウェブサーバ２０とユーザ端末１０との間の動作を、具体的に説明すると、ユーザが、図３に示すように、ウェブサーバ２０のウェブサイトから「参列できない方へのご案内」のウェブページを選択すると、ウェブサーバ２０はウェブページ情報をユーザ端末１０に送信する。ユーザ端末１０は、ウェブページ情報に基づいてユーザ端末１０の表示画面にウェブページ２００Ａの「御香典振り込みサービス」と「御香典、生花依頼サービス」を閲覧可能に表示する。ユーザはこのウェブページ２００Ａを閲覧し、表示画面に表示された「御香典振り込みサービス」をクリックして選択すると、ウェブサーバ２０は「御香典振り込みサービス」のウェブページ情報をユーザ端末１０に送信する。ユーザ端末１０は、ウェブページ情報に基づいてユーザ端末１０の表示画面に、ウェブページの香典の代金を支払うための入力フォーマットの表を有するウェブページ２００Ｂを閲覧可能に表示する。
ユーザはこのウェブページ２００Ｂを閲覧し、入力フォーマットの表の必要事項を入力すると、ユーザ端末１０はその必要事項の情報をウェブサーバ２０に送信する。図３では必要事項の情報（送金情報）として、告別式の日付、喪主、香典送り主、香典金額の情報が示されている。ウェブサーバ２０は、入力フォーマットの表の必要事項の情報（送金情報）として、告別式の日付、喪主、香典送り主（送金者となる）、香典金額（送金金額となる）の情報を葬儀社端末３０に送信する。入力フォーマットの表の必要事項の情報はウェブサーバ２０の記憶部に記憶される。
なお、ここでは、入力フォーマットの表の必要事項の情報として、告別式の日付、喪主、香典送り主、香典金額を挙げたが、通夜の日付、喪主、香典送り主、香典金額であってもよいことは勿論である。
【００１８】
葬儀社端末３０は、例えば、ノート型パーソナルコンピュータ又は据え置き型ノート型パーソナルコンピュータである。
葬儀社端末３０は、ウェブサーバ２０から通夜又は告別式の日付、喪主、香典送り主、香典金額等の情報を取得し、記憶部に記憶する。そして、葬儀社端末３０は、記憶された香典送り主（送金者となる）及び香典金額（送金金額となる）と、金融管理サーバ４０から送られる送金者及び送金金額とを照合し、一致した場合は、喪主の金融口座（喪主口座）に香典金額の振り込みを行い、喪主の通信端末に香典送り主、香典金額等の情報を通知する。一致しない場合には、葬儀社端末３０は、表示部の表示画面に、金融管理サーバ４０から送られた送金者及び送金金額に該当する香典送り主及び香典金額が存在しないことを表示する。
葬儀社端末３０は、ウェブサーバ２０から通夜又は告別式の日付、喪主、香典送り主、香典金額等の情報を受けたが、金融管理サーバ４０からの該当する送金者及び送金金額の通知が、通夜又は告別式の日付の所定の期日前にない場合には「○○年○月○日の告別式の○○様からの香典の送金がありません」等の警告メッセージを、表示部の表示画面に表示してもよい。
【００１９】
葬儀社端末３０は、喪主口座に香典金額の振り込みを行った後に、報告メールをユーザ端末１０に送る。図４には、報告メールの一例を示す図である。
図４に示すように、ユーザ端末１０の表示画面１０Aには、「□□葬儀社でございます。○○様葬儀の御香典の送金を完了しました。喪主様より△△様へのお礼のお言葉をいただいております。」が表示される。
【００２０】
金融管理サーバ４０は、例えば、ユーザ端末１０及び葬儀社端末３０と接続されるコンピュータである。金融管理サーバ４０は例えば、ネット銀行が管理するサーバであり、ユーザは銀行等に行かなくともユーザ端末１０を用いて金融管理サーバ４０を介して葬儀社端末３０へ送金が可能である。ただし、金融管理サーバ４０が銀行等が管理するATM（Automated-Teller Machine）と接続され、ユーザがATMを操作して送金を行ってもよい。
金融管理サーバ４０は、ユーザ端末１０から、葬儀社端末３０に対しての送金依頼を受ける。送金依頼には、送金先（ここでは葬儀社名、及び葬儀社の口座番号）、送金者及び送金金額が含まれ、ユーザが送金者であり、送金金額は香典金額と同じである。
金融管理サーバ４０は葬儀社の口座（葬儀社口座）に送金金額を振り込み、送金者及び送金金額を葬儀社端末３０に通知する。
【００２１】
以上、送金システムに含まれる各構成部について説明した。
これらの各構成部を実現するために、ユーザ端末１０、ウェブサーバ２０、葬儀社端末３０及び金融管理サーバ４０のそれぞれは、ＣＰＵ（Central Processing Unit）等の演算処理装置を備える。また、ユーザ端末１０、ウェブサーバ２０、葬儀社端末３０及び金融管理サーバ４０のそれぞれは、アプリケーションソフトウェアやＯＳ（Operating System）等の各種の制御用プログラムを格納したＨＤＤ（Hard Disk Drive）等の補助記憶装置や、演算処理装置がプログラムを実行する上で一時的に必要とされるデータを格納するためのＲＡＭ（Random Access Memory）といった主記憶装置も備える。
【００２２】
そして、ユーザ端末１０、ウェブサーバ２０、葬儀社端末３０及び金融管理サーバ４０のそれぞれにおいて、演算処理装置が補助記憶装置からアプリケーションソフトウェアやＯＳを読み込み、読み込んだアプリケーションソフトウェアやＯＳを主記憶装置に展開させながら、これらのアプリケーションソフトウェアやＯＳに基づいた演算処理を行なう。また、この演算結果に基づいて、各装置が備える各種のハードウェアを制御する。これにより、本実施形態の送金システムの各構成部は実現される。つまり、本実施形態は、ハードウェアとソフトウェアが協働することにより実現することができる。
【００２３】
次に、送金システムの動作について説明する。図５は送金システムの動作を示す流れ図である。
【００２４】
＜ユーザ端末１０とウェブサーバ２０との間の処理＞
ユーザ端末１０は、ステップＳ１０１において、情報媒体５０となる新聞の案内掲載欄５０Ａに掲載された、葬儀社のウェブサイトの識別子となる、ＱＲコード（登録商標）等の二次元バーコード１００を読み取る。
つぎに、ユーザ端末１０は、ステップＳ１０２において、二次元バーコード１００で特定された、ウェブサーバ２０の葬儀社のウェブサイトにインターネット等の通信回線を介してアクセスする。
【００２５】
ウェブサーバ２０は、ステップＳ２０１において、ユーザがウェブサイトにアクセスし、ウェブサイトから選択したウェブページのウェブページ情報をユーザ端末１０に送信する。
【００２６】
ユーザ端末１０は、ユーザは、ステップＳ１０３において、ユーザ端末１０の表示画面に表示された、ウェブページに含まれる香典の代金（香典金額）を支払うための入力フォーマットの表に必要事項を入力して、必要事項の情報（送金情報となる）をウェブサーバ２０に送信する。
ウェブサーバ２０は、ステップＳ２０２において、入力フォーマットの表の必要事項の情報（送金情報となる）を葬儀社端末３０に送信する。
【００２７】
＜ユーザ端末１０と金融管理サーバ４０との間、及び金融管理サーバ４０と葬儀社端末３０との間の処理＞
ユーザ端末１０は、ステップＳ１０４において、金融管理サーバ４０に、葬儀社に対しての送金依頼を送信する。送金依頼には、送金先（ここでは葬儀社名、及び葬儀社の口座番号）、送金者及び送金金額が含まれ、ユーザが送金者であり、送金金額は香典金額と同じである。
【００２８】
金融管理サーバ４０は、ユーザ端末１０から葬儀社に対しての送金依頼を受信すると、ステップＳ４０１において、葬儀社の口座（葬儀社口座）に送金金額を振り込み、ステップＳ４０２において、送金者及び送金金額を送金情報として葬儀社端末３０に通知する。
【００２９】
＜葬儀社端末３０の処理＞
葬儀社端末３０は、ウェブサーバ２０から通夜又は告別式の日付、喪主、香典送り主、香典金額等の情報（送金情報）を受信し、不図示の記憶部に記憶する。そして、葬儀社端末３０は、金融管理サーバ４０から送金者及び送金金額（送金情報）を受信する。
【００３０】
葬儀社端末３０は、ステップＳ３０１において、記憶された香典送り主及び香典金額と、金融管理サーバ４０から送られた、送金者及び送金金額とを照合する。葬儀社端末３０は、
香典送り主及び香典金額と、送金者及び送金金額とが一致した場合は、ステップＳ３０２において、喪主の金融口座（喪主口座）に香典金額の振り込みを行う。
次に、葬儀社端末３０は、ステップＳ３０３において、喪主口座に香典金額の振り込みを行った後に、報告メールをユーザ端末１０に送る。
【００３１】
本実施形態によれば、ユーザ（送金者）にとっては、現金書留で代金を送付するような作業の必要がなく、簡易な方法で代金を送金できる。
また、本実施形態によれば、喪主及び葬儀社は、予め通夜、告別式に参列しない人数を把握することができ、通夜、告別式の準備の無駄をなくすことができる。
また、本実施形態によれば、ウェブサーバ又は葬儀社端末には、通夜、告別式の日付、喪主、香典送り主、香典金額の情報のリストが記憶されているので、香典返しを取り扱う業者にこのリストを渡すことで、参列しない人のリスト作成の手間を省くことができる。
【００３２】
以上、本考案の実施に好適な具体的な構成を詳述したが、本考案は、本考案の趣旨を逸脱しない範囲で、上述の実施形態の構成を種々に変更することができる。
本実施形態は、葬儀における香典又は香典と生花等の代金を送金する送金システムに限らず、他の送金システム、例えば、結婚式の披露宴のおける祝儀の代金を送金する送金システムであってもよい。結婚式の披露宴のおける祝儀の代金を送金する送金システムにおいては、情報媒体は、例えば、招待状等に添付される式場の案内書であり、この案内書に式場のウェブサイトの識別子となる、ＱＲコード（登録商標）等の二次元バーコードが印刷されている。送金先端末は式場の通信端末となる。
【００３３】
本実施形態において、情報媒体は新聞に限らず、新聞に折り込まれる折り込み広告、雑誌、案内書等であってもよい。
また、本実施形態において、ウェブサーバは葬儀社が管理するものとしたが、遺族の会社、仲介業者又は香典返しを取り扱う業者が管理してもよい。
【００３４】
また、本実施形態において、識別子としてＱＲコード（登録商標）等の二次元バーコードを用いたが、他の識別子、例えば一次元バーコードであってもよい。
【符号の説明】
【００３５】
１０  ユーザ端末
２０  ウェブサーバ
３０  葬儀社端末
４０  金融管理サーバ
５０  情報媒体
【図１】
0003228317.tif 000003
【図２】
0003228317.tif 000004
【図３】
0003228317.tif 000005
【図４】
0003228317.tif 000006
【図５】
0003228317.tif 000007